(57)【要約】【課題】縞状のムラの発生を低減し、高い映像品位の背景透視可能な映像を表示するスクリーン及び投写型映像表示システムを提供する。【解決手段】プロジェクタから投写された映像光を拡散反射させて映像を表示するスクリーン（１００）であって、一方の面に凹凸形状を備えた第１の透明基材（１１）と、凹凸形状（１２）の表面に設けられ一部の光を反射するとともに他の光を透過する半透過反射層（１３）とを含む凹凸ハーフミラー構造体（１０）と、透明材料（３０）を介して凹凸ハーフミラー構造体と凹凸形状の表面側で接合された第２の透明基材（２０）とを備える。第１の透明基材（１１）および第２の透明基材（２０）のうちの半透過反射層より投写側にある透明基材が、５００ｎｍ以下の複屈折量を有する材料で形成される。【選択図】図４
2019207324.tif 000002
【特許請求の範囲】
【請求項１】
プロジェクタから投写された映像光を拡散反射させて映像を表示するスクリーンであって、
一方の面に凹凸形状を備えた第１の透明基材と、前記凹凸形状の表面に設けられ一部の光を反射するとともに他の光を透過する半透過反射層と、を含む凹凸ハーフミラー構造体と、
透明材料を介して前記凹凸ハーフミラー構造体と前記凹凸形状の表面側で接合された第２の透明基材とを備え、
前記第１の透明基材および前記第２の透明基材のうちの前記半透過反射層より投写側にある透明基材が５００ｎｍ以下の複屈折量を有する材料で形成される
スクリーン。
【請求項２】
前記第２の透明基材は板状のガラス部材であり、
前記プロジェクタからの映像光は前記第２の透明基材に投写される、請求項１に記載のスクリーン。
【請求項３】
前記プロジェクタからの映像光は前記第１の透明基材に投写される、請求項１に記載のスクリーン。
【請求項４】
前記第１の透明基材は、アクリル、ポリカーボネート、トリアセチルセルロースのいずれかの材料で形成される、請求項３に記載のスクリーン。
【請求項５】
前記第１の透明基材は、５００ｎｍより大きな複屈折量を有する材料で形成され、
前記第２の透明基材は、５００ｎｍ以下の複屈折量を有する材料で形成され、
前記第１の透明基材は、透明材料を介して前記第２の透明基材に接合されており、
前記プロジェクタからの映像光は前記第２の透明基材に投写される、
請求項１に記載のスクリーン。
【請求項６】
前記第２の透明基材は、アクリル、ポリカーボネート及びトリアセチルセルロースのいずれかからなる、請求項５に記載のスクリーン。
【請求項７】
映像光を投写するプロジェクタと、
前記映像光が投写される、請求項１ないし６のいずれかに記載のスクリーンと、
を備えた投写型映像表示システム。
【請求項８】
前記プロジェクタは、光の３原色のうちの少なくとも１つの色を偏光光として出力する、請求項７に記載の投写型映像表示システム。
【請求項９】
前記プロジェクタは、青色光を照射する発光素子と、前記青色光を黄色光に変換する蛍光体と、前記黄色光から赤色光および緑色光を分離するカラーフィルタとを備える、請求項７に記載の投写型映像表示システム。
【請求項１０】
前記プロジェクタは、光源として、青色光を出力する青色レーザダイオードと、赤色光を出力する赤色レーザダイオードと、青色光から緑色光を生成する蛍光体とを備える請求項７に記載の投写型映像表示システム。
【請求項１１】
前記プロジェクタは、光源として、青色光を出力する青色レーザダイオードと、赤色光を出力する赤色レーザダイオードと、緑色光を出力する緑色レーザダイオードとを備える、請求項７に記載の投写型映像表示システム。
【請求項１２】
前記プロジェクタは空間変調素子として液晶パネルを備え、３原色のそれぞれを偏光光として射出する、請求項７に記載の投写型映像表示システム。
【発明の詳細な説明】
【技術分野】
【０００１】
本開示は、背景光を透過するとともに、プロジェクタからの投写映像を反射表示または透過表示可能なスクリーン及びそれを用いた映像表示システムに関する。
【背景技術】
【０００２】
近年、背面透視が可能な透明性を有しつつ、プロジェクタから投射された映像を拡散反射または拡散透過して映像として観察可能にする透明スクリーンが提案されている。このような透明スクリーンは、例えば、高層ビルの窓に配置され、観察者に夜景と投射映像を重畳して視認させることができる。または、ライブイベントなどに用いられ、あたかも空中に映像が表示されたかのように視認させることができる。このように透明スクリーンを用いてプロジェクタ映像表現の新しい形が提案されている。
【０００３】
透過型透明スクリーンには、透明体の内部に特殊な拡散微粒子を微量分散して、一部の光を大きく散乱して映像視認可能するとともに、他の光を直線透過して背景透視可能にする方式が提案されている。
【０００４】
また、透過散乱した光は裏面の空気界面でその一部が反射されるので、透明体に拡散微粒子を微量分散した上記構成で反射型透明スクリーンとして機能させることも可能である。
【０００５】
ただし、拡散微粒子を分散する方式は原理的に透過散乱を伴い、明るい映像表示と透明性とを高度に両立させるのが難しい。
【０００６】
そこでより高い次元で映像の明るさと透明性を両立させる手段として、反射型透明スクリーンに特化し、一方の面に凹凸部を有する透明基材の前記凹凸表面に半透過反射層を設け、その半透過反射層の表面を透明材料で被覆したものが提案されている（例えば、特許文献１参照）。この構造によれば、明るい映像を得るために凹凸状半透過反射膜の反射率を高くしても、一次透過光は散乱されることなく直進することが可能になる。
【０００７】
実際には凹凸状半透過反射膜で拡散反射した光は、入射面でフレネル反射することによる多重反射で副次的に透過散乱光が発生するため、皆無にはならない。しかし、この方法は、同じ映像の明るさを拡散微粒子の分散方式で実現する場合に比べて、透明性を飛躍的に向上することができる。
【０００８】
映像を投写するプロジェクタは、光源からの光を透過型液晶デバイス、反射型液晶デバイス、または、ディジタルマイクロミラー（ＤＭＤ）などで空間変調して映像光を生成し、投写レンズによってスクリーン面に結像することで映像を表示する。
【０００９】
その光源としては従来ハロゲンランプ、超高圧水銀ランプなどが用いられてきたが、近年、効率の高いレーザ光源が開発されている。レーザ光源は、単色性に優れ、寿命が長く、信頼性が高いという特徴から、色再現範囲が広くメンテナンスの容易なプロジェクタを実現するものとして広く採用されつつある。
【先行技術文献】
【特許文献】
【００１０】
【特許文献１】特開２０１７−１１１４２９号公報
【発明の概要】
【発明が解決しようとする課題】
【００１１】
上述したように特許文献１の反射型透明スクリーンを用いれば、明るく鮮明な映像表示と透明度の高い背景視認が可能になり、拡張現実などで高い演出効果を実現することが期待できる。
【００１２】
しかしながら、反射型透明スクリーンの構成とプロジェクタの組み合わせによっては、縞状のムラを発生し、映像品位を損なうことがあった。
【００１３】
本開示は、縞状のムラの発生を低減し、高い映像品位の背景透視可能な映像を表示するスクリーン及び投写型映像表示システムを提供する。
【課題を解決するための手段】
【００１４】
本開示の第１の態様において、プロジェクタから投写された映像光を拡散反射させて映像を表示するスクリーンが提供される。スクリーンは、一方の面に凹凸形状を備えた第１の透明基材と、凹凸形状の表面に設けられ一部の光を反射するとともに他の光を透過する半透過反射層と、を含む凹凸ハーフミラー構造体と、透明材料を介して凹凸ハーフミラー構造体と凹凸形状の表面側で接合された第２の透明基材とを備える。第１の透明基材および第２の透明基材のうちの半透過反射層より投写側にある透明基材が、５００ｎｍ以下の複屈折量を有する材料で形成される。
【００１５】
本開示の第２の態様において、映像光を投写するプロジェクタと、映像光が投写される上記のスクリーンと、を備えた投写型映像表示システムが提供される。
【発明の効果】
【００１６】
本開示によれば、映像が投写されるスクリーンにおいて、縞状のムラの発生を低減し、高い映像品位の背景透視可能な映像を表示させることが可能になる。
【図面の簡単な説明】
【００１７】
【図１】複屈折によるムラをシミュレーションする光学モデルを示す図である。
【図２】複屈折によるムラをシミュレーションした結果を示す図である。
【図３】本開示の各実施の形態における反射型透明スクリーンの使用状態を示す図である。
【図４】実施形態１における反射型透明スクリーンの構成を示す図である。
【図５】実施形態２における反射型透明スクリーンの構成を示す図である。
【図６】実施形態３における反射型透明スクリーンの構成を示す図である。
【図７】プロジェクタの光源の第１の構成例を示す図である。
【図８】プロジェクタの光源の第２の構成例を示す図である。
【図９】プロジェクタの光源の第３の構成例を示す図である。
【発明を実施するための形態】
【００１８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１９】
（本開示に至った経緯）
透明スクリーンの構成とプロジェクタの組み合わせによっては、縞状のムラを発生し、映像品位を損なうことがある。この現象は、プロジェクタとして液晶パネルを空間変調素子として用いた場合に発生する。また、空間変調素子にＤＭＤを用いた場合にも、レーザ光を光源にした場合に発生する。しかし、ランプを光源とした場合には発生しない。
【００２０】
本願の発明者らが検討した結果、この現象は強い偏光特性をもった投写光が光学異方性の大きな材料を介して半透過反射膜に入射する際に発生することを見出した。図１に示すモデルを用いてこの状態をシミュレーションした。
【００２１】
図１において、光源４００は直線偏光を射出する。透明スクリーンに想定した積層体５００は複屈折を有する光学異方性透明基材６０と反射層７０からなる。図１に示すモデルでは、超短焦点プロジェクタの使用を想定して、透明スクリーンに想定した積層体５００の下端部、中央部、上端部への入射角θ１、θ２、θ３がそれぞれ３６°、６０°、６７°になるように設定している。
【００２２】
図１に示す構成で、光源４００から波長４６０ｎｍ直線偏光光を一様な光度で積層体５００に入射した場合の反射像の模様を、光学異方性透明基材６０の３つの複屈折に対してシミュレーションした結果を図２に示す。
【００２３】
図２（Ａ）、（Ｂ）、（Ｃ）はそれぞれ、異方性透明基材６０の複屈折量が５００ｎｍ、１５００ｎｍ、５０００ｎｍの場合のシミュレーション結果である。
【００２４】
図２で下部が明るく上部が暗くなっているのは、簡略したモデリングにより一様光度の点光源を設定した為であり、実際のプロジェクタではほぼ一様な明るさになる様設計される。ここでは下部から上部向かって暗くなる傾向を無視して横方向に発生しているムラに注目されたい。
【００２５】
図２から明らかな様に複屈折量が５００ｎｍ程度までは大きなムラを発生することは無い。しかし、複屈折量が１０００ｎｍでは明らかな濃淡を生じ、５０００ｎｍでは縞状のムラが生じている。このことから、本発明者は、異方性透明基材６０の複屈折量が５００ｎｍ以下であることが好ましいという知見を得た。
【００２６】
このモデルでは、青色光に対応する４６０ｎｍについてシミュレーションしたが、偏光光源が赤色光、緑色光であっても同様に縞の周期が異なるムラを生じる。
【００２７】
そのため、３原色のそれぞれが偏光を有する、空間変調素子として液晶パネルを備えたプロジェクタ（以下「液晶プロジェクタ」という）の場合、複雑な虹状のムラを発生すると考えられる。
【００２８】
また、空間変調素子としてＤＭＤを備え、青色レーザダイオードから青色光と、青色光を蛍光体により黄色光に変換し、黄色光をカラーフィルタにより赤色光と緑色光に分離することで３原色の光を生成するプロジェクタの場合、青色光のみが偏光性を有する。このため、このようなプロジェクタにおいても、青色のみに縞状のムラが生じ、白色表示では青と黄色が交互に発生する縞状のムラになると考えられる。
【００２９】
実際に、フィルム状光学部材の基材として一般的ではあり、複屈折量が数千ｎｍと大きなポリエチレンテレフタレート製の２軸延伸フィルム（以下「ＰＥＴフィルム」という）に凹凸形状を作成し、その凹凸表面に半透過反射膜を形成して平滑化した透明スクリーンを生成した。この透明スクリーンに、ＰＥＴフィルム側から映像光を投写して観察したところ、液晶プロジェクタでは虹状のムラが観察され、青色レーザダイオードと黄色蛍光体を用いたＤＭＤプロジェクタでは青と黄色の縞状のムラが観察された。
【００３０】
この様なムラが生じると映像品位を著しく損ない、背景を透視しながら映像を観察するといった演出効果が低減する。
【００３１】
なお、透明性を必要としない一般的な反射型スクリーンでは白色インク、白色顔料、白色シートなどを用いるのが一般的であり、これらはいずれも母材とは屈折率の異なる微粒子を分散し、多重散乱・多重反射により光を拡散反射するものであり、偏光光を投写してもその多重散乱・多重反射過程で無偏光化されるため縞状ムラを発生することはなく、偏光を射出するプロジェクタで生じるムラは透明スクリーン特有の課題である。
【００３２】
上記の課題を解決するための透明スクリーンの具体的な構成を以下に説明する。
【００３３】
（実施の形態１）
図３は、実施の形態１を含む本開示の各実施の形態における透明スクリーンの使用状態を説明した図である。
【００３４】
反射型の透明スクリーン１００は、透明スクリーン１００上に映像を投写するプロジェクタ２００とともに投写型映像表示システムを構成する。透明スクリーン１００は、建物の窓７００に設置される。透明スクリーン１００は、プロジェクタ２００から投写された映像６１０を反射するとともに、窓７００の外の背景６２０からの光を透過する。つまり、スクリーン１００の前にいる観察者３００は、スクリーン１００において、窓７００の外の背景６２０と、プロジェクタ２００からの投写映像６１０とを重畳して視認することができる。
【００３５】
透明スクリーン１００は、プロジェクタ２００から投写された映像６１０を拡散反射する反射性と、背景６２０を透過する透明性とを有する反射型の透明スクリーンである。透明スクリーン１００は、入射した可視光の一部（例えば、５％以上かつ５０％以下）を拡散反射すると共に、残りの光の一部（３０％以上）を直線透過する。
【００３６】
プロジェクタ２００からの投写がない場合、スクリーン１００は透明体として機能し、観察者３００は、窓７００のみがある場合と同様に、背景６２０を観察することができる。一方、プロジェクタ２００から映像６１０を投写する場合、透明スクリーン１００は投写された映像の一部を拡散反射し、観察者３００は投写された映像６１０を観察することができ、さらに背景６２０も観察することができる。
【００３７】
透明スクリーン１００は、観察者３００に鮮明に背景６２０を観察させるために、透過する光を直進させる必要があり、よって空気との界面となる表面は平坦である必要がある。従って、スクリーン表面での反射は鏡面反射となる。そのため、プロジェクタ２００から投写した映像の鏡面反射光が観察者３００の目に直接入ると、観察者３００は眩しくて映像を観察することができない。従って、直接反射光がスクリーン１００の正面方向の適正範囲に向かわないように、図３に示すように、プロジェクタ２００は透明スクリーン１００に対して大きな角度で投写する。
【００３８】
更に、プロジェクタ２００からの投写映像６１０が観察者３００に遮られないように、プロジェクタ２００は透明スクリーン１００の近くで、斜め下方から所定の仰角をもって映像を投写する。このため、プロジェクタ２００は、焦点距離の短い超短焦点プロジェクタが用いられる。このとき、透明スクリーン１００に入射する光の角度は、例えば、スクリーン１００の法線方向に対して透明スクリーン１００の中央部で５５°以上かつ６５°以下、上端部で６５°以上かつ７５°以下になる。
【００３９】
透明スクリーン１００で反射する映像６１０の視認性は、背景の明るさなどの状況によって異なる。昼などの背景が明るい場合、透明スクリーン１００は、投写映像を高いコントラストで表示することは困難となり、背景６２０の視認性が高くなる。そのため背景が明るい場合、スクリーン１００は情報表示などが主体となる。
【００４０】
一方、夕方などの背景が薄暗い場合、透明スクリーン１００は高いコントラストでの映像表示化が可能になり、背景６２０と投写映像６１０の重畳による幻想的演出が可能になる。
【００４１】
更に、夜などの背景が暗い場合、ほぼ映像のみの表示となり、通常のディスプレイ装置と同様に高コントラスト、高鮮鋭度の映像を楽しむことができる。
【００４２】
図４は実施の形態１における反射型の透明スクリーン１００の具体的な構成を示す図である。
【００４３】
透明スクリーン１００は、凹凸ハーフミラー構造体１０と、第２の透明基材２０とを備える。第２の透明基材は５００ｎｍ以下の複屈折量を有する材料で形成される。第２の透明基材２０はガラスで形成されている。本実施の形態では、第２の透明基材２０は平板状の窓ガラスである。
【００４４】
凹凸ハーフミラー構造体１０と、第２の透明基材２０とは、透明粘着剤３０により貼り合わされている。凹凸ハーフミラー構造体１０は、第１の透明基材１１を含む。第１の透明基材１１の表面には、凹凸層１２が設けられている。凹凸層１２における第１の透明基材１１と反対側の面に半透過反射層１３が形成されている。
【００４５】
プロジェクタ２００からの映像光は、透明スクリーン１００の第２の透明基材２０に対して投写される。すなわち、第２の透明基材２０の露出した表面が投影面となる。プロジェクタ２００から透明スクリーン１００に投写された映像光はその一部が実線の矢印で示すように拡散反射され、観察者３００から映像として視認される。
【００４６】
この様な構成を有する透明スクリーン１００に対して、液晶プロジェクタ、または青色レーザを光源とするＤＭＤプロジェクタで映像を投写したところ、縞状のムラのない高品位な映像が視認された。一般に光学ガラスからなる窓ガラスは光学等方性に優れ、複屈折は数ｎｍ程度であるためである。
【００４７】
図４に示すような、窓ガラスである第２の透明基材２０の投写面と反対側の面に凹凸ハーフミラー構造体１０を配置した構成により、観察者３００が凹凸ハーフミラー構造体１０に触れることを防止する。よって、このような透明スクリーン１００は、例えば、ショーウィンドウに適用でき、展示商品と宣伝映像とを重畳して視認させる演出などに有効である。
【００４８】
なお、この場合、凹凸ハーフミラー構造体１０を構成する第１の透明基材１１は、反射像の形成に影響しないため、特に等方性が高い必要は無く、高い透明性などの基本光学特性と安定した物性を備えればよい。よって、第１の透明基材１１を構成するフィルム状光学部材の基材として、例えば、一般的なＰＥＴフィルムを用いることができる。
【００４９】
（実施の形態２）
タワーマンションの窓に反射型の透明スクリーンを構成して夜景などの背景と映像表示を楽しむような場合に、実施の形態１に示したように屋外となる窓の外側に凹凸ハーフミラー構造体１０を形成すると、風雨、太陽光などで透明スクリーンの特性の劣化が著しくなり、さらに、メンテナンスも難しい。このため、凹凸ハーフミラー構造体１０は、屋内側となる観察側に配置することが好ましい。本実施の形態では、ミラー構造体１０を屋内に配置する透明スクリーンの構成について説明する。
【００５０】
図５は、本開示の実施の形態２の反射型の透明スクリーン１００ｂの構造を示す図である。図５に示す透明スクリーン１００ｂは、実施の形態１の透明スクリーン１００と同様の構造を有する。本実施の形態の透明スクリーン１００ｂは、凹凸ハーフミラー構造体１０が窓７００の内側（室内側）に配置されている点が実施の形態１の透明スクリーン１００と異なる。透明スクリーン１００ｂの第１の透明基材１１に対してプロジェクタ２００から映像光が投写される。すなわち、第１の透明基材１１の表面が投影面となる。第１の透明基材１１は５００ｎｍ以下の複屈折量を有する材料で形成される。
【００５１】
さらに、透明スクリーン１００ｂでは、凹凸ハーフミラー構造体１０における第１の透明基材１１として、ＰＭＭＡにゴムを微量添加し、７５ｕｍの厚みにフィルム状に加工したアクリルフィルムを用いている。
【００５２】
ＰＭＭＡは光学等方性に優れた材料して知られている。本実施の形態の第１の透明基材１１の複屈折量は約２ｎｍと小さかった。
【００５３】
上記の構成を有する透明スクリーン１００ｂに対して、液晶プロジェクタまたは青色レーザを光源とするＤＭＤプロジェクタで映像を投写したところ、縞状のムラのない高品位な映像が視認された。
【００５４】
（実施の形態３）
前述したようにフィルム状光学部材の基材として最も一般的な材料はＰＥＴであり、広く流通しているＰＥＴ基材の既製の拡散フィルムやマイクロレンズアレイフィルムなどを用いて散乱特性の安定性に優れ、比較的安価な凹凸ハーフミラー構造体１０を構成することが期待される。
【００５５】
実施の形態２と同様に屋外に面した窓に用いるなど、窓の内側に凹凸ハーフミラー構造体１０を構成する必要がある場合、図５に示すように構成すると、プロジェクタから投影された映像光は、複屈折の大きなＰＥＴフィルム内を往復する。このような透明スクリーンに、液晶プロジェクタなど偏光光を射出するプロジェクタも用いて映像を投写すると、顕著な虹ムラを発生する。
【００５６】
本実施の形態では、このような課題を解決する透明スクリーンの構成を説明する。図６に、本実施の形態の反射型の透明スクリーン１００ｃの構成を示す。本実施の形態の透明スクリーン１００ｃでは、複屈折の大きな第１の透明基材１１を用いた凹凸ハーフミラー構造体１０が窓７００の内側に設置されている。
【００５７】
図６に示す反射型の透明スクリーン１００ｃは、ＰＥＴで形成された第１の透明基材１１を有する凹凸ハーフミラー構造体１０と、アクリルフィルムからなる第２の透明基材４０とが透明粘着剤３０で接合されている。この構成により、凹凸ハーフミラー構造体１０と第２の透明基材４０とからなる構造体は、反射型の透明スクリーンとして機能する。しかし、凹凸ハーフミラー構造体１０と第２の透明基材４０からなる構造体は、フィルム状で機械的に自立できない。このため、凹凸ハーフミラー構造体１０と第２の透明基材４０からなる構造体は、窓ガラス２５に透明粘着剤５０によって接合されている。
【００５８】
図６に示す透明スクリーン１００ｃは、図５に示す透明スクリーン１００ｂの構成に加えて、第２の透明基材４０と透明粘着剤５０の層とをさらに備えている。
【００５９】
しかしながら、凹凸ハーフミラー構造体１０において凹凸形状を有する第１の透明基材１１は、反射型透明スクリーンとしての反射散乱特性を決定する重要な要素である。そのため、第１の透明基材１１には、広く流通して特性の安定性に優れ、安価なＰＥＴ基材フィルムを使用する。これにより、特性安定性に優れ安価な反射型透明スクリーンを実現することが期待される。第１の透明基材１１は、５００ｎｍより大きな複屈折量を有する材料で形成される。
【００６０】
第２の透明基材４０は５００ｎｍ以下の複屈折量を有する材料で形成される。例えば、第２の透明基材４０の材料としては、アクリルフィルム以外にも、ＴＡＣ（トリアセチルセルロース）フィルム、ポリカーボネートフィルムなどがある。第２の透明基材４０として、これらを使用することができ、比較的安価に安定して入手することができる。
【００６１】
特に、一般のコンシューマ向け商品のように大量消費が見込めない場合、凹凸透明基材を専用で作成することは大きな材料損失を発生する場合がある。
【００６２】
上記の構成を有する透明スクリーン１００ｃに対して、液晶プロジェクタおよび青色レーザダイオードを光源としＤＭＤを備えたプロジェクタで映像を投写したところ、縞状のムラのない高品位な映像が視認された。
【００６３】
図７〜図９は、実施の形態１〜３におけるプロジェクタ２００の光源の構成の例を示した図である。光源は３原色（赤、緑、青）の光を生成し、空間変調素子２５０に出力する。空間変調素子により、透明スクリーン１００〜１００ｃに投写される映像を示す映像光が生成される。空間変調素子２５０は液晶パネルまたはＤＭＤである。
【００６４】
図７は光源の第１の構成例を示す。この例では、プロジェクタ２００は、光源として、青色光を出力する青色レーザダイオード２１０Ｂと、青色レーザダイオード２１０Ｂからの青色光黄色光を生成する蛍光体ホイール２２０と、黄色光から赤色光と緑色光とを分離するカラーフィルタ２３０とを備える。蛍光体ホイール２２０は、青色光から蛍光励起により黄色光を生成する蛍光体を備えている。
【００６５】
図８は光源の第２の構成例を示す。この例では、プロジェクタ２００は、光源として、青色光を出力する青色レーザダイオード２１０Ｂと、赤色光を出力する赤色レーザダイオード２１０Ｒと、青色レーザダイオード２１０Ｂからの青色光から緑色光を生成する蛍光体ホイール２２２とを備える。蛍光体ホイール２２２は、青色光から蛍光励起により緑色光を生成する蛍光体を備えている。
【００６６】
図９は光源の第３の構成例を示す。この例では、プロジェクタ２００は、光源として、赤色光を出力する赤色レーザダイオード２１０Ｒと、緑色光を出力する緑色レーザダイオード２１０Ｇと、青色光を出力する青色レーザダイオード２１０Ｂと、を備える。
【００６７】
図７〜図９に示す構成により、光源はＲＧＢ３原色の光を生成することができる。
【００６８】
（他の実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【００６９】
（本開示）
本開示は下記の構成を有するスクリーン及び投写型映像表示装置を開示する。
【００７０】
（１）プロジェクタから投写された映像光を拡散反射させて映像表示するスクリーン（１００、１００ｂ、１００ｃ）であって、
一方の面に凹凸形状（１２）を備えた第１の透明基材（１１）と、前記凹凸形状の表面に設けられ一部の光を反射するとともに他の光を透過する半透過反射層（１３）と、を含む凹凸ハーフミラー構造体（１０）と、
透明材料（３０）を介して前記凹凸ハーフミラー構造体と前記凹凸形状の表面側で接合された第２の透明基材（２０）とを備え、
前記第１の透明基材および前記第２の透明基材のうちの前記半透過反射層（１３）より投写側にある透明基材が５００ｎｍ以下の複屈折量を有する材料で形成される
スクリーン。
【００７１】
（２）上記（１）のスクリーンにおいて、第２の透明基材（２０）は板状のガラス部材であり、プロジェクタからの映像光は第２の透明基材（２０）に投写される（図４参照）。
【００７２】
（３）上記（１）のスクリーンにおいて、前記プロジェクタからの映像光は前記第１の透明基材（１１）に投写される（図５参照）。
【００７３】
（４）上記（１）のスクリーンにおいて、第１の透明基材（１１）は、アクリル、ポリカーボネート、トリアセチルセルロースのいずれかの材料で形成されてもよい。
【００７４】
（５）上記（１）のスクリーンにおいて、第１の透明基材（１１）は、５００ｎｍより大きな複屈折量を有する材料で形成され、第２の透明基材（４０）は、５００ｎｍ以下の複屈折量を有する材料で形成されてもよい。第１の透明基材（１１）は、透明材料（３０）を介して第２の透明部材（４０）に接合されている。プロジェクタからの映像光は前記第２の透明基材（４０）に投写される（図６参照）。
【００７５】
（６）上記（１）のスクリーンにおいて、第２の透明基材（２０）は、アクリル、ポリカーボネート及びトリアセチルセルロースのいずれかの材料で形成される。
【００７６】
（７）映像光を投写するプロジェクタ（２００）と、映像光が投写される、（１）ないし（６）のいずれかのスクリーン（１００、１００ｂ、１００ｃ）と、を備えた映像表示システム。
【００７７】
（８）上記（７）の映像表示システムにおいて、プロジェクタ（２００）は、光の３原色のうちの少なくとも１つの色を偏光光として出力する。
【００７８】
以上のように、本開示における技術の例示として、実施の形態を説明した。そのために、添付図面および詳細な説明を提供した。
【００７９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８０】
また、上述の実施の形態は、本開示における技術を例示するためのものであるから、特許請求の範囲またはその均等の範囲において種々の変更、置き換え、付加、省略などを行うことができる。
【産業上の利用可能性】
【００８１】
本開示の投写型映像表示システムは、投写光を、拡散反射する凹凸ハーフミラー部に複屈折の小さな基材を介して入射する。これにより、本開示の投写型映像表示システムは、偏光光を射出するプロジェクタを用いて、縞状ムラの発生することの無い高品位な映像表示を可能とし、商業施設の窓などに映像表示を行う映像表示装置として有用である。
【符号の説明】
【００８２】
１０  凹凸ハーフミラー構造体
１１  第１の透明基材
１２  凹凸層
１３  半透過反射層
２０  第２の透明基材（窓ガラス）
２５  窓ガラス
３０  透明粘着剤
４０  第２の透明基材
５０  透明粘着剤
１００、１００ｂ、１００ｃ  透明スクリーン
２００  プロジェクタ
２５０  空間変調素子
３００  観察者
６１０  投写映像
６２０  背景
７００  窓
【図１】
2019207324.tif 000003
【図２】
2019207324.tif 000004
【図３】
2019207324.tif 000005
【図４】
2019207324.tif 000006
【図５】
2019207324.tif 000007
【図６】
2019207324.tif 000008
【図７】
2019207324.tif 000009
【図８】
2019207324.tif 000010
【図９】
2019207324.tif 000011